(57)【要約】【課題】ネットワークを利用して情報通信を行う携帯電話やパーソナルコンピュータなどの情報端末装置は、もはや特殊なものではなくなってきており、そのような情報端末装置を利用するユーザは、若年層を中心に急速に増加していると考えられる。そして、情報端末装置を利用するユーザのニーズはそのユーザの増加にともなってますます多様化してきているが、サービスの提供者側はそのようなニーヅの多様化に十分に対応できていなかった。【解決手段】プリクラ用の撮影を行う画像入力部１１４と、ユーザＸ側のパーソナルコンピュータ１２０で利用される、撮影の結果に基づく電子データを外部に出力する通信インタフェイス部１１３とを備えたプリクラ撮影装置１１０である。【選択図】　図１
2004015428.tif 000002
【特許請求の範囲】
【請求項１】
プリクラ用の撮影を行う撮影手段と、
ユーザ側の端末装置で利用される、前記撮影の結果に基づく電子データを外部に出力する外部出力手段とを備えた撮影装置。
【請求項２】
前記外部への出力は、前記ユーザ側から指定された電子メイルアドレスを利用し、所定の電子メイルサーバに対するデータアップロードとして行われ、
前記端末装置は、前記電子メイルサーバに対してアクセスを行うことができる請求項１記載の撮影装置。
【請求項３】
前記外部への出力は、所定の記憶媒体に対するデータ書き込みとして行われ、
前記端末装置は、前記記憶媒体に対してデータ読み取りを行うことができる請求項１記載の撮影装置。
【請求項４】
前記外部への出力は、有線通信または無線通信を利用し、前記端末装置に対するデータ送信として行われる請求項１記載の撮影装置。
【請求項５】
（１）前記外部へ出力される電子データの符号化形式および／または圧縮率、または（２）前記外部へ出力される電子データの対価は、前記端末装置の種類を考慮して決定される請求項２から４の何れかに記載の撮影装置。
【請求項６】
前記外部への出力は、所定のホームページサーバに対するデータアップロードとして行われる請求項１記載の撮影装置。
【請求項７】
前記データアップロードされた電子データをデータダウンロードするためのホームページアドレスおよび／またはＩＤは、前記ユーザ側に通知される請求項６記載の撮影装置。
【請求項８】
（１）前記データダウンロードされる電子データの符号化形式および／または圧縮率、または（２）前記データダウンロードされる電子データの対価は、前記端末装置の種類を考慮して決定される請求項６記載の撮影装置。
【請求項９】
前記符号化形式および／または圧縮率の決定は、前記ホームページサーバ側で行われる請求項８記載の撮影装置。
【請求項１０】
前記符号化形式は、動画データに対応した符号化形式である請求項８記載の撮影装置。
【請求項１１】
プリクラ用の撮影を行う撮影ステップと、
ユーザ側の端末装置で利用される、前記撮影の結果に基づく電子データを外部に出力する外部出力ステップとを備えた撮影方法。
【請求項１２】
撮影を行う撮影手段と、
前記撮影の結果に基づく電子データに対して、所定の画像合成データ処理を行う画像合成データ処理手段と、
前記画像合成データ処理が行われた電子データをユーザに対して出力するユーザ出力手段とを備えた携帯端末画像合成データ処理装置。
【請求項１３】
前記画像合成データ処理は、前記撮影の結果に基づく電子データの内容である画像の周縁部分に、あらかじめ用意されている画像データの内容である画像を配置するための画像合成データ処理である請求項１２記載の携帯端末画像合成データ処理装置。
【請求項１４】
撮影を行う撮影ステップと、
前記撮影の結果に基づく電子データに対して、所定の画像合成データ処理を行う画像合成データ処理ステップと、
前記画像合成データ処理が行われた電子データをユーザに対して出力するユーザ出力ステップとを備えた携帯端末画像合成データ処理方法。
【請求項１５】
撮影を行う撮影手段と、所定の画像合成データ処理を行ってもらうために前記撮影の結果に基づく電子データを外部に送信する送信手段と、前記画像合成データ処理が行われた電子データを外部から受信する受信手段と、前記受信された電子データをユーザに対して出力するユーザ出力手段とを備えた携帯端末装置と、
前記送信されてくる電子データに対して前記所定の画像合成データ処理を行う画像合成データ処理手段を備えた画像合成データ処理サーバとを備えたデータ配信システム。
【請求項１６】
前記画像合成データ処理は、（１）前記撮影の結果に基づく電子データの内容である画像の所定部分以外の不要部分を削除し、（２）その削除された不要部分にあらかじめ用意されている画像データの内容である画像を配置するための画像合成データ処理である請求項１５記載のデータ配信システム。
【請求項１７】
撮影を行う撮影手段と、所定の画像合成データ処理を行ってもらうために前記撮影の結果に基づく電子データを外部に送信する送信手段と、前記画像合成データ処理が行われた電子データを外部から受信する受信手段と、前記受信された電子データをユーザに対して出力するユーザ出力手段とを備えた携帯端末装置。
【請求項１８】
撮影を行う撮影手段と、所定の画像合成データ処理を行ってもらうために前記撮影の結果に基づく電子データを外部に送信する送信手段と、前記画像合成データ処理が行われた電子データを外部から受信する受信手段と、前記受信された電子データをユーザに対して出力するユーザ出力手段とを備えた携帯端末装置から送信されてくる電子データに対して、前記所定の画像合成データ処理を行う画像合成データ処理手段を備えた画像合成データ処理サーバ。
【請求項１９】
撮影を行う撮影ステップと、
所定の画像合成データ処理を行ってもらうために前記撮影の結果に基づく電子データを外部に送信する送信ステップと、
前記送信されてくる電子データに対して前記所定の画像合成データ処理を行う画像合成データ処理ステップと、
前記画像合成データ処理が行われた電子データを外部から受信する受信ステップと、
前記受信された電子データをユーザに対して出力するユーザ出力ステップとを備えたデータ配信方法。
【請求項２０】
請求項１１記載の撮影方法の、プリクラ用の撮影を行う撮影ステップと、ユーザ側の端末装置で利用される、前記撮影の結果に基づく電子データを外部に出力する外部出力ステップとの全部または一部をコンピュータに実行させるためのプログラム。
【請求項２１】
請求項１４記載の携帯端末画像合成データ処理方法の、撮影を行う撮影ステップと、前記撮影の結果に基づく電子データに対して、所定の画像合成データ処理を行う画像合成データ処理ステップと、前記画像合成データ処理が行われた電子データをユーザに対して出力するユーザ出力ステップとの全部または一部をコンピュータに実行させるためのプログラム。
【請求項２２】
請求項１９記載のデータ配信方法の、撮影を行う撮影ステップと、所定の画像合成データ処理を行ってもらうために前記撮影の結果に基づく電子データを外部に送信する送信ステップと、前記送信されてくる電子データに対して前記所定の画像合成データ処理を行う画像合成データ処理ステップと、前記画像合成データ処理が行われた電子データを外部から受信する受信ステップと、前記受信された電子データをユーザに対して出力するユーザ出力ステップとの全部または一部をコンピュータに実行させるためのプログラム。
【請求項２３】
請求項２０記載のプログラムを担持した媒体であって、コンピュータにより処理可能な媒体。
【請求項２４】
請求項２１記載のプログラムを担持した媒体であって、コンピュータにより処理可能な媒体。
【請求項２５】
請求項２２記載のプログラムを担持した媒体であって、コンピュータにより処理可能な媒体。
【発明の詳細な説明】
【０００１】
【発明の属する技術分野】
本発明は、たとえば顔写真などの撮影結果をより楽しむための、撮影装置、撮影方法、携帯端末画像合成データ処理装置、携帯端末画像合成データ処理方法、データ配信システム、携帯端末装置、画像合成データ処理サーバ、データ配信方法、プログラム、および媒体に関するものである。
【０００２】
【従来の技術】
ソフトウェア開発を手がけるアトラス社と、テレビゲーム機器大手メーカのセガ社は、１９９５年７月に「プリント倶楽部（プリクラ）」を商品化した（「プリント倶楽部（プリクラ）」は、登録商標である）。ショッピングセンタやゲームセンタの店頭などに設置されたプリクラ専用機を利用して撮影された顔写真は、あらかじめ用意された画像が背景として配置された、いわゆる自画像シールとしてユーザに提供される。要するに、上述のプリクラ専用機を利用して撮影されるプリクラ写真は、シール付きのスピ−ド顔写真の一種である。
【０００３】
プリクラ専用機を利用することで、背景となる画像を嗜好に応じて選択し、娯楽性に富んだ集合写真を手軽に撮影することが可能となった。この仕様は、若年女性層を中心に大いに受け入れられ、自らの撮影したプリクラ写真を親しい知人間で互いに交換したり、そのようなプリクラ写真を身の回りの携帯品などに貼付したりするプリクラの活用法が極めて流行することとなる。上述のプリクラは、１９９６年後半にプリクラブームと呼ばれる一大ブームを巻き起こし、今日でも依然として根強い人気を有している。
【０００４】
一方、ＦＴＴＨ（ｆｉｂｅｒ　ｔｏ　ｔｈｅ　ｈｏｍｅ）などの光通信網やＡＤＳＬ（ａｓｙｍｍｅｔｒｉｃ　ｄｉｇｉｔａｌ　ｓｕｂｓｃｒｉｂｅｒ　ｌｉｎｅ、非対称ディジタル加入者線）をはじめとするブロードバンド対応のネットワークが着々と整備され、低価格の情報通信サービスが普及しつつある。そのため、これらのネットワークを利用して情報通信を行う携帯電話やパーソナルコンピュータなどの情報端末装置ももはや特殊なものではなくなってきており、そのような情報端末装置を利用するユーザは若年層を中心に急速に増加していると考えられる。
【０００５】
【発明が解決しようとする課題】
しかしながら、情報端末装置を利用するユーザのニーズは、そのユーザの増加にともなってますます多様化してきている。
【０００６】
本発明者は、たとえば、前述したプリクラ写真のような顔写真などの撮影結果を、ネットワークやそれを利用して情報通信を行う情報端末装置を活用して、より楽しめるようなサービスがいろいろと工夫されるべきであると考えている。
【０００７】
本発明は、上記従来のこのような課題を考慮し、たとえば、プリクラ写真のような顔写真などの撮影結果をより楽しむための撮影装置、撮影方法、携帯端末画像合成データ処理装置、携帯端末画像合成データ処理方法、データ配信システム、携帯端末装置、画像合成データ処理サーバ、データ配信方法、プログラム、および媒体を提供することを目的とするものである。
【０００８】
【課題を解決するための手段】
第１の本発明は、プリクラ用の撮影を行う撮影手段と、
ユーザ側の端末装置で利用される、前記撮影の結果に基づく電子データを外部に出力する外部出力手段とを備えた撮影装置である。
【０００９】
第２の本発明は、前記外部への出力は、前記ユーザ側から指定された電子メイルアドレスを利用し、所定の電子メイルサーバに対するデータアップロードとして行われ、
前記端末装置は、前記電子メイルサーバに対してアクセスを行うことができる第１の本発明の撮影装置である。
【００１０】
第３の本発明は、前記外部への出力は、所定の記憶媒体に対するデータ書き込みとして行われ、
前記端末装置は、前記記憶媒体に対してデータ読み取りを行うことができる第１の本発明の撮影装置である。
【００１１】
第４の本発明は、前記外部への出力は、有線通信または無線通信を利用し、前記端末装置に対するデータ送信として行われる第１の本発明の撮影装置である。
【００１２】
第５の本発明は、（１）前記外部へ出力される電子データの符号化形式および／または圧縮率、または（２）前記外部へ出力される電子データの対価は、前記端末装置の種類を考慮して決定される第２の本発明から第４の本発明の何れかの撮影装置である。
【００１３】
第６の本発明は、前記外部への出力は、所定のホームページサーバに対するデータアップロードとして行われる第１の本発明の撮影装置である。
【００１４】
第７の本発明は、前記データアップロードされた電子データをデータダウンロードするためのホームページアドレスおよび／またはＩＤは、前記ユーザ側に通知される第６の本発明の撮影装置である。
【００１５】
第８の本発明は、（１）前記データダウンロードされる電子データの符号化形式および／または圧縮率、または（２）前記データダウンロードされる電子データの対価は、前記端末装置の種類を考慮して決定される第６の本発明の撮影装置である。
【００１６】
第９の本発明は、前記符号化形式および／または圧縮率の決定は、前記ホームページサーバ側で行われる第８の本発明の撮影装置である。
【００１７】
第１０の本発明は、前記符号化形式は、動画データに対応した符号化形式である第８の本発明の撮影装置である。
【００１８】
第１１の本発明は、プリクラ用の撮影を行う撮影ステップと、
ユーザ側の端末装置で利用される、前記撮影の結果に基づく電子データを外部に出力する外部出力ステップとを備えた撮影方法である。
【００１９】
第１２の本発明は、撮影を行う撮影手段と、
前記撮影の結果に基づく電子データに対して、所定の画像合成データ処理を行う画像合成データ処理手段と、
前記画像合成データ処理が行われた電子データをユーザに対して出力するユーザ出力手段とを備えた携帯端末画像合成データ処理装置である。
【００２０】
第１３の本発明は、前記画像合成データ処理は、前記撮影の結果に基づく電子データの内容である画像の周縁部分に、あらかじめ用意されている画像データの内容である画像を配置するための画像合成データ処理である第１２の本発明の携帯端末画像合成データ処理装置である。
【００２１】
第１４の本発明は、撮影を行う撮影ステップと、
前記撮影の結果に基づく電子データに対して、所定の画像合成データ処理を行う画像合成データ処理ステップと、
前記画像合成データ処理が行われた電子データをユーザに対して出力するユーザ出力ステップとを備えた携帯端末画像合成データ処理方法である。
【００２２】
第１５の本発明は、撮影を行う撮影手段と、所定の画像合成データ処理を行ってもらうために前記撮影の結果に基づく電子データを外部に送信する送信手段と、前記画像合成データ処理が行われた電子データを外部から受信する受信手段と、前記受信された電子データをユーザに対して出力するユーザ出力手段とを備えた携帯端末装置と、
前記送信されてくる電子データに対して前記所定の画像合成データ処理を行う画像合成データ処理手段を備えた画像合成データ処理サーバとを備えたデータ配信システムである。
【００２３】
第１６の本発明は、前記画像合成データ処理は、（１）前記撮影の結果に基づく電子データの内容である画像の所定部分以外の不要部分を削除し、（２）その削除された不要部分にあらかじめ用意されている画像データの内容である画像を配置するための画像合成データ処理である第１５の本発明のデータ配信システムである。
【００２４】
第１７の本発明は、撮影を行う撮影手段と、所定の画像合成データ処理を行ってもらうために前記撮影の結果に基づく電子データを外部に送信する送信手段と、前記画像合成データ処理が行われた電子データを外部から受信する受信手段と、前記受信された電子データをユーザに対して出力するユーザ出力手段とを備えた携帯端末装置である。
【００２５】
第１８の本発明は、撮影を行う撮影手段と、所定の画像合成データ処理を行ってもらうために前記撮影の結果に基づく電子データを外部に送信する送信手段と、前記画像合成データ処理が行われた電子データを外部から受信する受信手段と、前記受信された電子データをユーザに対して出力するユーザ出力手段とを備えた携帯端末装置から送信されてくる電子データに対して、前記所定の画像合成データ処理を行う画像合成データ処理手段を備えた画像合成データ処理サーバである。
【００２６】
第１９の本発明は、撮影を行う撮影ステップと、
所定の画像合成データ処理を行ってもらうために前記撮影の結果に基づく電子データを外部に送信する送信ステップと、
前記送信されてくる電子データに対して前記所定の画像合成データ処理を行う画像合成データ処理ステップと、
前記画像合成データ処理が行われた電子データを外部から受信する受信ステップと、
前記受信された電子データをユーザに対して出力するユーザ出力ステップとを備えたデータ配信方法である。
【００２７】
第２０の本発明は、第１１の本発明の撮影方法の、プリクラ用の撮影を行う撮影ステップと、ユーザ側の端末装置で利用される、前記撮影の結果に基づく電子データを外部に出力する外部出力ステップとの全部または一部をコンピュータに実行させるためのプログラムである。
【００２８】
第２１の本発明は、第１４の本発明の携帯端末画像合成データ処理方法の、撮影を行う撮影ステップと、前記撮影の結果に基づく電子データに対して、所定の画像合成データ処理を行う画像合成データ処理ステップと、前記画像合成データ処理が行われた電子データをユーザに対して出力するユーザ出力ステップとの全部または一部をコンピュータに実行させるためのプログラムである。
【００２９】
第２２の本発明は、第１９の本発明のデータ配信方法の、撮影を行う撮影ステップと、所定の画像合成データ処理を行ってもらうために前記撮影の結果に基づく電子データを外部に送信する送信ステップと、前記送信されてくる電子データに対して前記所定の画像合成データ処理を行う画像合成データ処理ステップと、前記画像合成データ処理が行われた電子データを外部から受信する受信ステップと、前記受信された電子データをユーザに対して出力するユーザ出力ステップとの全部または一部をコンピュータに実行させるためのプログラムである。
【００３０】
第２３の本発明は、第２０の本発明のプログラムを担持した媒体であって、コンピュータにより処理可能な媒体である。
【００３１】
第２４の本発明は、第２１の本発明のプログラムを担持した媒体であって、コンピュータにより処理可能な媒体である。
【００３２】
第２５の本発明は、第２２の本発明のプログラムを担持した媒体であって、コンピュータにより処理可能な媒体である。
【００３３】
【発明の実施の形態】
以下に、本発明にかかる実施の形態について、図面を参照しつつ説明を行う。
【００３４】
（実施の形態１）
はじめに、本発明にかかる実施の形態１のプリクラ撮影データ配信システムの構成図である図１を主として参照しながら、本実施の形態のプリクラ撮影データ配信システムの構成について説明する。
【００３５】
本実施の形態のプリクラ撮影データ配信システムは、ネットワーク１００、プリクラ撮影装置１１０、パーソナルコンピュータ１２０、電子メイルサーバ１３０を備えている。
【００３６】
ネットワーク１００は、プリクラ撮影装置１１０、パーソナルコンピュータ１２０、電子メイルサーバ１３０など同士を接続するための、インターネット、公衆網、ＬＡＮ（ｌｏｃａｌ　ａｒｅａ　ｎｅｔｗｏｒｋ）などを有するネットワークである。
【００３７】
プリクラ撮影装置１１０は、ユーザＸのプリクラ撮影によって得られた、ユーザＸのパーソナルコンピュータ１２０で利用される電子データを、ユーザＸから指定された電子メイルアドレス「ｙａｍａｄａ＠ｐｏｐ０６．ａｂｃ．ｎｅ．ｊｐ」を利用して電子メイルサーバ１３０にアップロードするための装置である。
【００３８】
データ記憶部１１１は、ユーザが利用する端末装置に応じて電子データの符号化形式を決定しそのデータ処理を行うためのデータ処理プログラム、ＯＳ（ｏｐｅｒａｔｉｏｎ　ｓｙｓｔｅｍ）などの制御プログラムをはじめとするデータを記憶する記憶装置を有する手段である。なお、端末装置がパーソナルコンピュータである場合に応じた符号化形式はＦｌａｓｈＰｉｘであり、端末装置が携帯電話である場合に応じた符号化形式はＭＰＥＧ（Ｍｏｖｉｎｇ　Ｐｉｃｔｕｒｅ　Ｅｘｐｅｒｔｓ　Ｇｏｕｐ）４である。
【００３９】
コントローラ１１２は、データ記憶部１１１の記憶装置に記憶されている制御プログラムにしたがって各手段の動作を制御するＣＰＵ（ｃｅｎｔｒａｌ　ｐｒｏｃｅｓｓｉｎｇ　ｕｎｉｔ、中央処理装置）を有する手段である。
【００４０】
通信インタフェイス部１１３は、ネットワーク１００への通信接続を行うためのＭＯＤＥＭ（ｍｏｄｕｌａｔｏｒ−ｄｅｍｏｄｕｌａｔｏｒ、変復調装置）を有する手段である。
【００４１】
画像入力部１１４は、プリクラ撮影に際して画像を入力するＣＣＤ（ｃｈａｒｇｅ−ｃｏｕｐｌｅｄ　ｄｅｖｉｃｅ、電子結合素子）カメラを有する手段である。
【００４２】
ユーザ操作部１１５は、画像出力部１１６から出力される画像に応じユーザがＧＵＩ（ｇｒａｐｈｉｃａｌ　ｕｓｅｒ−ｉｎｔｅｒｆａｃｅ）を利用して入力を行うための入力パネルを有する手段である。
【００４３】
画像出力部１１６は、ユーザに対して画像を出力するディスプレイを有する手段である。
【００４４】
パーソナルコンピュータ１２０は、電子メイルアドレス「ｙａｍａｄａ＠ｐｏｐ０６．ａｂｃ．ｎｅ．ｊｐ」を利用して、ネットワーク１００を介し電子メイルサーバ１３０にアクセスを行うことができるパーソナルコンピュータである。
【００４５】
データ記憶部１２１は、電子メイルの送受信を行うためのメイラ、ＯＳなどの制御プログラムをはじめとするデータを記憶する記憶装置を有する手段である。
【００４６】
コントローラ１２２は、データ記憶部１２１の記憶装置に記憶されている制御プログラムにしたがって各手段の動作を制御するＣＰＵを有する手段である。
【００４７】
通信インタフェイス部１２３は、ネットワーク１００への通信接続を行うためのＭＯＤＥＭを有する手段である。
【００４８】
ユーザ操作部１２５は、画像音声出力部１２６から出力される画像や音声に応じユーザＸがＧＵＩを利用して入力を行うためのキーボードやマウスを有する手段である。
【００４９】
画像音声出力部１２６は、ユーザＸに対して画像や音声を出力するディスプレイやスピーカを有する手段である。
【００５０】
電子メイルサーバ１３０は、ネットワーク１００に接続された電子メイルサーバである。
【００５１】
データ記憶部１３１は、ＯＳなどの制御プログラムをはじめとするデータを記憶する記憶装置を有する手段である。
【００５２】
コントローラ１３２は、データ記憶部１３１の記憶装置に記憶されている制御プログラムにしたがって各手段の動作を制御するＣＰＵを有する手段である。
【００５３】
通信インタフェイス部１３３は、ネットワーク１００への通信接続を行うためのＭＯＤＥＭを有する手段である。
【００５４】
なお、画像入力部１１４を含む手段は本発明の撮影手段に対応し、通信インタフェイス部１２３を含む手段は本発明の外部出力手段に対応する。また、プリクラ撮影装置１１０は本発明の撮影装置に対応し、パーソナルコンピュータ１２０は本発明の端末装置に対応し、電子メイルサーバ１３０は本発明の電子メイルサーバに対応する。
【００５５】
つぎに、本実施の形態のプリクラ撮影データ配信システムの動作について説明する。なお、本実施の形態のプリクラ撮影データ配信システムの動作について説明しながら、本発明の撮影方法の一実施の形態についても説明する。
【００５６】
（Ａ）プリクラ撮影時の動作；ユーザＸは、画像出力部１１６が行っている図２に示されているような画像出力を見て、電子メイルアドレス「ｙａｍａｄａ＠ｐｏｐ０６．ａｂｃ．ｎｅ．ｊｐ」、端末装置（符号化形式）「パーソナルコンピュータ（ＦｌａｓｈＰｉｘ）」の指定を行い、プリクラ撮影の結果をプレビューできるリハーサルを行うためのボタンＢ１１をポインタＰでクリックする。なお、図２は、本発明にかかる実施の形態１のプリクラ撮影装置１１０の表示画面の説明図（その１）である。
【００５７】
ユーザ操作部１１５は、ユーザＸが行った上述の入力に応じて、プリクラ撮影を行うための信号をコントローラ１１２に出力する。
【００５８】
コントローラ１１２は、ユーザ操作部１１５が出力した信号を入力すると、プリクラ撮影を行うための命令を画像入力部１１４に行う。
【００５９】
画像入力部１１４は、コントローラ１１２が行った命令に応じて、プリクラ撮影を行い、そのプリクラ撮影によって得られた電子データをコントローラ１１２に出力する。
【００６０】
コントローラ１１２は、画像入力部１１４が出力した電子データを入力すると、前述のプリクラ撮影の結果をユーザＸにプレビューさせるための信号を画像出力部１１６に出力する。
【００６１】
画像出力部１１６は、コントローラ１１２が出力した信号を入力すると、ユーザＸにプリクラ撮影の結果をプレビューさせるための図３に示されているような画像出力を行う。なお、図３は、本発明にかかる実施の形態１のプリクラ撮影装置１１０の表示画面の説明図（その２）である。
【００６２】
ユーザＸは、画像出力部１１６が行っている図３に示されているような画像出力を見て、プリクラ撮影の結果を電子データとして出力してもらうためのボタンＢ１２をポインタＰでクリックする。
【００６３】
ユーザ操作部１１５は、ユーザＸが行った上述の入力に応じて、プリクラ撮影の結果を電子データとして出力するための信号をコントローラ１１２に出力する。
【００６４】
コントローラ１１２は、ユーザ操作部１１５が出力した信号を入力すると、指定された端末装置「パーソナルコンピュータ」に応じた符号化形式であるＦｌａｓｈＰｉｘで前述の電子データを符号化し、指定された電子メイルアドレス「ｙａｍａｄａ＠ｐｏｐ０６．ａｂｃ．ｎｅ．ｊｐ」を利用して符号化された電子データを電子メイルサーバ１３０にアップロードするための信号を通信インタフェイス部１１３に出力する。
【００６５】
通信インタフェイス部１１３は、コントローラ１１２が出力した信号を入力すると、電子メイルアドレス「ｙａｍａｄａ＠ｐｏｐ０６．ａｂｃ．ｎｅ．ｊｐ」を利用し、前述の符号化された電子データをネットワーク１００を介して通信インタフェイス部１３３に送信する。
【００６６】
通信インタフェイス部１３３は、通信インタフェイス部１１３が送信した電子データを受信すると、その電子データをコントローラ１３２に出力する。
【００６７】
コントローラ１３２は、通信インタフェイス部１３３が出力した電子データを入力すると、その電子データを電子メイルアドレス「ｙａｍａｄａ＠ｐｏｐ０６．ａｂｃ．ｎｅ．ｊｐ」を利用してデータ記憶部１３１に書き込む。
【００６８】
（Ｂ）電子メイルの受信時の動作；ユーザ操作部１２５は、電子メイルの受信を行うためにユーザＸが行った入力に応じて、電子メイルの受信を行うための信号をコントローラ１２２に出力する。
【００６９】
コントローラ１２２は、ユーザ操作部１２５が出力した信号を入力すると、電子メイルの受信を行うための信号を通信インタフェイス部１２３に出力する。
【００７０】
通信インタフェイス部１２３は、コントローラ１２２が出力した信号を入力すると、電子メイルの受信を行うための信号を、電子メイルアドレス「ｙａｍａｄａ＠ｐｏｐ０６．ａｂｃ．ｎｅ．ｊｐ」を利用し、ネットワーク１００を介して通信インタフェイス部１３３に送信する。
【００７１】
通信インタフェイス部１３３は、通信インタフェイス部１２３が送信した信号を受信すると、パーソナルコンピュータ１２０に電子メイルを転送するための信号をコントローラ１３２に出力する。
【００７２】
コントローラ１３２は、通信インタフェイス部１３３が出力した信号を入力すると、前述のプリクラ撮影に応じてプリクラ撮影装置１１０が送信してきた電子データをデータ記憶部１３１から読み出し、その電子データをパーソナルコンピュータ１２０に転送するための信号を通信インタフェイス部１３３に出力する。
【００７３】
通信インタフェイス部１３３は、コントローラ１３２が出力した信号を入力すると、データ記憶部１３１から読み出された前述の電子データをネットワーク１００を介して通信インタフェイス部１２３に送信する。
【００７４】
通信インタフェイス部１２３は、通信インタフェイス部１３３が送信した電子データを受信すると、その電子データをコントローラ１２２に出力する。
【００７５】
コントローラ１２２は、通信インタフェイス部１２３が出力した電子データを入力すると、その電子データをデータ記憶部１２１に書き込む。
【００７６】
（Ｃ）電子データの閲覧時の動作；ユーザ操作部１２５は、電子メイルの閲覧を行うためにユーザＸが行った入力に応じて、電子メイルの閲覧を行うための信号をコントローラ１２２に出力する。
【００７７】
コントローラ１２２は、ユーザ操作部１２５が出力した信号を入力すると、電子メイルサーバ１３０が転送してきた前述の電子メイルをデータ記憶部１２１から読み出し、読み出された電子メイルをユーザＸに表示するための信号を画像音声出力部１２６に出力する。
【００７８】
画像音声出力部１２６は、コントローラ１２２が出力した信号を入力すると、電子メイルをユーザＸに表示するための図４に示されているような画像出力を行う。なお、図４は、本発明にかかる実施の形態１のパーソナルコンピュータ１２０の表示画面の説明図（その１）である。
【００７９】
ユーザＸは、画像音声出力部１２６が行っている図４に示されているような画像出力を見て、プリクラ撮影の結果を表示してもらうためのアイコンＩ１１をポインタＰでダブルクリックする。
【００８０】
ユーザ操作部１２５は、ユーザＸが行った上述の入力に応じて、プリクラ撮影の結果を表示するための信号をコントローラ１２２に出力する。
【００８１】
コントローラ１２２は、ユーザ操作部１２５が出力した信号を入力すると、前述のプリクラ撮影に応じてプリクラ撮影装置１１０が送信してきた電子データをデータ記憶部１２１から読み出し、読み出された電子データをユーザＸに表示するための信号を画像音声出力部１２６に出力する。
【００８２】
画像音声出力部１２６は、コントローラ１２２が出力した信号を入力すると、プリクラ撮影によって得られた前述の電子データをユーザＸに表示するための図５に示されているような画像出力を行う。なお、図５は、本発明にかかる実施の形態１のパーソナルコンピュータ１２０の表示画面の説明図（その２）である。
【００８３】
（実施の形態２）
はじめに、本発明にかかる実施の形態２のプリクラ撮影データ配信システムの構成図である図６を主として参照しながら、本実施の形態のプリクラ撮影データ配信システムの構成について説明する。
【００８４】
本実施の形態のプリクラ撮影データ配信システムは、プリクラ撮影装置２１０、ＰＤＡ（ｐｅｒｓｏｎａｌ　ｄｉｇｉｔａｌ　ａｓｓｉｓｔａｎｔ、携帯情報端末）２２０を備えている。
【００８５】
プリクラ撮影装置２１０は、ユーザＸのプリクラ撮影によって得られた、ユーザＸのＰＤＡ２２０で利用される電子データを、ＳＤ（ｓｅｃｕｒｅ　ｄｉｇｉｔａｌ）カード２３０に書き込むための装置である。
【００８６】
データ記憶部２１１は、符号化形式としてはＭＰＥＧ４を利用して電子データのデータ処理を行うためのデータ処理プログラム、ＯＳなどの制御プログラムをはじめとするデータを記憶する記憶装置を有する手段である。
【００８７】
コントローラ２１２は、データ記憶部２１１の記憶装置に記憶されている制御プログラムにしたがって各手段の動作を制御するＣＰＵを有する手段である。
【００８８】
ＳＤカードドライブ部２１３は、電子データをＳＤカード２３０に書き込むためのＳＤカード入出力デバイスを有する手段である。
【００８９】
画像入力部２１４は、プリクラ撮影に際して画像を入力するＣＣＤカメラを有する手段である。
【００９０】
ユーザ操作部２１５は、画像出力部２１６から出力される画像に応じユーザがＧＵＩを利用して入力を行うための入力パネルを有する手段である。
【００９１】
画像出力部２１６は、ユーザに対して画像を出力するディスプレイを有する手段である。
【００９２】
ＰＤＡ２２０は、ＳＤカード２３０から電子データを読み取ることができるＰＤＡである。
【００９３】
データ記憶部２２１は、ＳＤカード２３０に対する読み出しや書き込みを行うためのデバイスドライバプログラム、ＯＳなどの制御プログラムをはじめとするデータを記憶する記憶装置を有する手段である。
【００９４】
コントローラ２２２は、データ記憶部２２１の記憶装置に記憶されている制御プログラムにしたがって各手段の動作を制御するＣＰＵを有する手段である。
【００９５】
ＳＤカードドライブ部２２３は、電子データをＳＤカード２３０から読み出すためのＳＤカード入出力デバイスを有する手段である。
【００９６】
ユーザ操作部２２５は、画像音声出力部２２６から出力される画像や音声に応じユーザＸがＧＵＩを利用して入力入力を行うためのキーボードやマウスを有する手段である。
【００９７】
画像音声出力部２２６は、ユーザＸに対して画像や音声を出力するディスプレイやスピーカを有する手段である。
【００９８】
なお、画像入力部２１４を含む手段は本発明の撮影手段に対応し、ＳＤカードドライブ部２２３を含む手段は本発明の外部出力手段に対応する。また、プリクラ撮影装置２１０は本発明の撮影装置に対応し、ＰＤＡ２２０は本発明の端末装置に対応し、ＳＤカード２３０は本発明の記憶媒体に対応する。
【００９９】
つぎに、本実施の形態のプリクラ撮影データ配信システムの動作について説明する。なお、本実施の形態のプリクラ撮影データ配信システムの動作について説明しながら、本発明の撮影方法の一実施の形態についても説明する。
【０１００】
（Ａ）プリクラ撮影時の動作；ユーザＸは、画像出力部２１６が行っている図７に示されているような画像出力を見て、ＳＤカードドライブ部２１３にＳＤカード２３０を差し込むとともに、プリクラ撮影、およびそのプリクラ撮影によって得られた電子データのＳＤカード２３０への書き込みを行うためのボタンＢ２１をポインタＰでクリックする。なお、図７は、本発明にかかる実施の形態２のプリクラ撮影装置２１０の表示画面の説明図である。
【０１０１】
ユーザ操作部２１５は、ユーザＸが行った上述の入力に応じて、プリクラ撮影を行うための信号をコントローラ２１２に出力する。
【０１０２】
コントローラ２１２は、ユーザ操作部２１５が出力した信号を入力すると、プリクラ撮影を行うための命令を画像入力部２１４に行う。
【０１０３】
画像入力部２１４は、コントローラ２１２が行った命令に応じて、プリクラ撮影を行い、そのプリクラ撮影によって得られた電子データをコントローラ２１２に出力する。
【０１０４】
コントローラ２１２は、画像入力部２１４が出力した電子データを入力すると、ＭＰＥＧ４でその電子データを符号化し、符号化された電子データをＳＤカード２３０に書き込むための信号をＳＤカードドライブ部２１３に出力する。
【０１０５】
ＳＤカードドライブ部２１３は、コントローラ２１２が出力した信号を入力すると、プリクラ撮影によって得られた電子データをＳＤカード２３０に書き込む。
【０１０６】
（Ｂ）電子データの閲覧時の動作；ユーザＸは、ＳＤカード２３０をＳＤカードドライブ部２１３から抜き出してＳＤカードドライブ部２２３に差し込むとともに、電子データの閲覧を行うための入力を行う。
【０１０７】
ユーザ操作部２２５は、ユーザＸが行った上述の入力に応じて、前述のプリクラ撮影の結果を表示するための信号をコントローラ２２２に出力する。
【０１０８】
コントローラ２２２は、ユーザ操作部２２５が出力した信号を入力すると、プリクラ撮影装置２１０が書き込んだ前述の電子データをＳＤカード２３０から読み出すための命令をＳＤカードドライブ部２２３に行う。
【０１０９】
ＳＤカードドライブ部２２３は、コントローラ２２２が行った命令に応じて、プリクラ撮影装置２１０が書き込んだ電子データをＳＤカード２３０から読み出し、読み出された電子データをコントローラ２２２に出力する。
【０１１０】
コントローラ２２２は、ＳＤカードドライブ部２２３が出力した電子データを入力すると、その電子データをユーザＸに表示するための信号を画像音声出力部２２６に出力する。
【０１１１】
画像音声出力部２２６は、コントローラ２２２が出力した信号を入力すると、プリクラ撮影によって得られた前述の電子データをユーザＸに表示するための画像出力を行う。
【０１１２】
（実施の形態３）
はじめに、本発明にかかる実施の形態３のプリクラ撮影データ配信システムの構成図である図８を主として参照しながら、本実施の形態のプリクラ撮影データ配信システムの構成について説明する。
【０１１３】
本実施の形態のプリクラ撮影データ配信システムは、プリクラ撮影装置３１０、携帯電話３２０を備えている。
【０１１４】
プリクラ撮影装置３１０は、ユーザＸのプリクラ撮影によって得られた、ユーザＸの携帯電話３２０で利用される電子データを、Ｂｌｕｅｔｏｏｔｈによる無線電波通信を利用して携帯電話３２０に送信するための装置である。
【０１１５】
データ記憶部３１１は、符号化形式としてはＭＰＥＧ４を利用して電子データのデータ処理を行うためのデータ処理プログラム、Ｂｌｕｅｔｏｏｔｈによる無線通信接続を行うためのＢｌｕｅｔｏｏｔｈ無線通信接続プログラム、ＯＳなどの制御プログラムをはじめとするデータを記憶する記憶装置を有する手段である。
【０１１６】
コントローラ３１２は、データ記憶部３１１の記憶装置に記憶されている制御プログラムにしたがって各手段の動作を制御するＣＰＵを有する手段である。
【０１１７】
無線通信部３１３は、携帯電話３２０とのＢｌｕｅｔｏｏｔｈによる無線電波通信を行うためのアンテナを有する手段である。
【０１１８】
画像入力部３１４は、プリクラ撮影に際して画像を入力するＣＣＤカメラを有する手段である。
【０１１９】
ユーザ操作部３１５は、画像出力部３１６から出力される画像に応じユーザがＧＵＩを利用して入力を行うための入力パネルを有する手段である。
【０１２０】
画像出力部３１６は、ユーザに対して画像を出力するディスプレイを有する手段である。
【０１２１】
携帯電話３２０は、Ｂｌｕｅｔｏｏｔｈによる無線電波通信を利用してプリクラ撮影装置３１０から電子データを受信することができる携帯電話である。
【０１２２】
データ記憶部３２１は、Ｂｌｕｅｔｏｏｔｈによる無線通信接続を行うためのＢｌｕｅｔｏｏｔｈ無線通信接続プログラム、ＯＳなどの制御プログラムをはじめとするデータを記憶する記憶装置を有する手段である。
【０１２３】
コントローラ３２２は、データ記憶部３２１の記憶装置に記憶されている制御プログラムにしたがって各手段の動作を制御するＣＰＵを有する手段である。
【０１２４】
無線通信部３２３は、プリクラ撮影装置３１０とのＢｌｕｅｔｏｏｔｈによる無線電波通信を行うためのアンテナを有する手段である。
【０１２５】
画像音声入力部３２４は、他の携帯電話（図示省略）との通話などに際して画像を入力するＣＣＤカメラやマイクを有する手段である。
【０１２６】
ユーザ操作部３２５は、画像音声出力部３２６から出力される画像に応じユーザＸがＧＵＩを利用して入力を行うための入力キーを有する手段である。
【０１２７】
画像音声出力部３２６は、ユーザＸに対して画像や音声を出力するディスプレイやスピーカを有する手段である。
【０１２８】
なお、画像入力部３１４を含む手段は本発明の撮影手段に対応し、無線通信部３１３を含む手段は本発明の外部出力手段に対応する。また、プリクラ撮影装置３１０は本発明の撮影装置に対応し、携帯電話３２０は本発明の端末装置に対応する。
【０１２９】
つぎに、本実施の形態のプリクラ撮影データ配信システムの動作について説明する。なお、本実施の形態のプリクラ撮影データ配信システムの動作について説明しながら、本発明の撮影方法の一実施の形態についても説明する。
【０１３０】
（Ａ）プリクラ撮影時の動作；ユーザＸは、画像出力部３１６が行っている図９に示されているような画像出力を見て、携帯電話３２０を無線電波通信が可能な所定位置に置くとともに、プリクラ撮影、およびそのプリクラ撮影によって得られた電子データの携帯電話３２０への送信を行うためのボタンＢ３１をポインタＰでクリックする。なお、図９は、本発明にかかる実施の形態３のプリクラ撮影装置３１０の表示画面の説明図である。
【０１３１】
ユーザ操作部３１５は、ユーザＸが行った上述の入力に応じて、プリクラ撮影を行うための信号をコントローラ３１２に出力する。
【０１３２】
コントローラ３１２は、ユーザ操作部３１５が出力した信号を入力すると、プリクラ撮影を行うための命令を画像入力部３１４に行う。
【０１３３】
画像入力部３１４は、コントローラ３１２が行った命令に応じて、プリクラ撮影を行い、そのプリクラ撮影によって得られた電子データをコントローラ３１２に出力する。
【０１３４】
コントローラ３１２は、画像入力部３１４が出力した電子データを入力すると、ＭＰＥＧ４でその電子データを符号化し、符号化された電子データをＢｌｕｅｔｏｏｔｈによる無線通信接続を利用して携帯電話３２０に送信するための信号を無線通信部３１３に出力する。
【０１３５】
無線通信部３１３は、コントローラ３１２が出力した信号を入力すると、Ｂｌｕｅｔｏｏｔｈによる無線通信接続を利用し、前述の符号化された電子データを通信インタフェイス部３２３に送信する。
【０１３６】
通信インタフェイス部３２３は、通信インタフェイス部３１３が送信した電子データを受信すると、その電子データをコントローラ３２２に出力する。
【０１３７】
コントローラ３２２は、通信インタフェイス部３２３が出力した電子データを入力すると、その電子データをデータ記憶部３２１に書き込む。
【０１３８】
（Ｂ）電子データの閲覧時の動作；ユーザ操作部３２５は、電子データの閲覧を行うためにユーザＸが行った入力に応じて、前述のプリクラ撮影の結果を表示するための信号をコントローラ３２２に出力する。
【０１３９】
コントローラ３２２は、ユーザ操作部３２５が出力した信号に応じて、プリクラ撮影装置３１０が無線通信接続を利用して送信してきた前述の電子データをデータ記憶部３２１から読み出し、読み出された電子データをユーザＸに表示するための信号を画像音声出力部３２６に出力する。
【０１４０】
画像音声出力部３２６は、コントローラ３２２が出力した信号を入力すると、プリクラ撮影によって得られた前述の電子データをユーザＸに表示するための画像出力を行う。
【０１４１】
（実施の形態４）
はじめに、本発明にかかる実施の形態４のプリクラ撮影データ配信システムの構成図である図１０を主として参照しながら、本実施の形態のプリクラ撮影データ配信システムの構成について説明する。
【０１４２】
本実施の形態のプリクラ撮影データ配信システムは、ネットワーク４００、プリクラ撮影装置４１０、パーソナルコンピュータ４２０、ホームページサーバ４３０を備えている。
【０１４３】
ネットワーク４００は、プリクラ撮影装置４１０、パーソナルコンピュータ４２０、ホームページサーバ４３０など同士を接続するための、インターネット、公衆網、ＬＡＮなどを有するネットワークである。
【０１４４】
プリクラ撮影装置４１０は、ユーザＸのプリクラ撮影によって得られた、ユーザＸのパーソナルコンピュータ４２０で利用される電子データを、プリクラ撮影終了時点でユーザＸに表示して通知されるホームページアドレス「ｈｔｔｐ：／／ｗｗｗ．ｘｙｚ．ｃｏ．ｊｐ／ｐｒｉｎｔｃｌｕｂ」およびＩＤ（ｉｄｅｎｔｉｆｉｃａｔｉｏｎ）「Ａ０５１４１３３５２０」を利用してホームページサーバ４３０にアップロードするための装置である。
【０１４５】
データ記憶部４１１は、ネットワーク４００を介しホームページサーバ４３０へ電子データのＦＴＰ（ｆｉｌｅ　ｔｒａｎｓｆｅｒ　ｐｒｏｔｏｃｏｌ）転送を行うためのＦＴＰプログラム、ＯＳなどの制御プログラムをはじめとするデータを記憶する記憶装置を有する手段である。
【０１４６】
コントローラ４１２は、データ記憶部４１１の記憶装置に記憶されている制御プログラムにしたがって各手段の動作を制御するＣＰＵを有する手段である。
【０１４７】
通信インタフェイス部４１３は、ネットワーク４００への通信接続を行うためのＭＯＤＥＭを有する手段である。
【０１４８】
画像入力部４１４は、プリクラ撮影に際して画像を入力するＣＣＤカメラを有する手段である。
【０１４９】
ユーザ操作部４１５は、画像出力部４１６から出力される画像に応じユーザがＧＵＩを利用して入力を行うための入力パネルを有する手段である。
【０１５０】
画像出力部４１６は、ユーザに対して画像を出力するディスプレイを有する手段である。
【０１５１】
パーソナルコンピュータ４２０は、前述の電子データを、ホームページアドレス「ｈｔｔｐ：／／ｗｗｗ．ｘｙｚ．ｃｏ．ｊｐ／ｐｒｉｎｔｃｌｕｂ」およびＩＤ「Ａ０５１４１３３５２０」を利用して、ネットワーク１００を介しホームページサーバ４３０からダウンロードすることができるパーソナルコンピュータである。
【０１５２】
データ記憶部４２１は、ホームページの閲覧や電子ファイルのダウンロードを行うためのＷＷＷ（ｗｏｒｌｄ　ｗｉｄｅ　ｗｅｂ）ブラウザ、ＯＳなどの制御プログラムをはじめとするデータを記憶する記憶装置を有する手段である。
【０１５３】
コントローラ４２２は、データ記憶部４２１の記憶装置に記憶されている制御プログラムにしたがって各手段の動作を制御するＣＰＵを有する手段である。
【０１５４】
通信インタフェイス部４２３は、ネットワーク４００への通信接続を行うためのＭＯＤＥＭを有する手段である。
【０１５５】
ユーザ操作部４２５は、画像音声出力部４２６から出力される画像に応じユーザＸがＧＵＩを利用して入力を行うためのキーボードやマウスを有する手段である。
【０１５６】
画像音声出力部４２６は、ユーザＸに対して画像や音声を出力するディスプレイやスピーカを有する手段である。
【０１５７】
ホームページサーバ４３０は、ネットワーク１００に接続されたホームページサーバである。
【０１５８】
データ記憶部４３１は、ユーザが利用する端末装置に応じて電子データの符号化形式を決定しそのデータ処理を行うためのデータ処理プログラム、そのようなデータ処理によって生成された電子ファイルの表示や送信などを行うためのＷＷＷサーバ、ＯＳなどの制御プログラムをはじめとするデータを記憶する記憶装置を有する手段である。なお、端末装置がパーソナルコンピュータである場合に応じた符号化形式はアニメーションＧＩＦ（ｇｒａｐｈｉｃｓ　ｉｎｔｅｒｃｈａｎｇｅ　ｆｏｒｍａｔ）であり、端末装置が携帯電話である場合に応じた符号化形式はＭＰＥＧ４である。
【０１５９】
コントローラ４３２は、データ記憶部４３１の記憶装置に記憶されている制御プログラムにしたがって各手段の動作を制御するＣＰＵを有する手段である。
【０１６０】
通信インタフェイス部４３３は、ネットワーク４００への通信接続を行うためのＭＯＤＥＭを有する手段である。
【０１６１】
なお、画像入力部４１４を含む手段は本発明の撮影手段に対応し、通信インタフェイス部４１３を含む手段は本発明の外部出力手段に対応する。また、プリクラ撮影装置４１０は本発明の撮影装置に対応し、パーソナルコンピュータ４２０は本発明の端末装置に対応し、ホームページサーバ４３０は本発明のホームページサーバに対応する。
【０１６２】
つぎに、本実施の形態のプリクラ撮影データ配信システムの動作について説明する。なお、本実施の形態のプリクラ撮影データ配信システムの動作について説明しながら、本発明の撮影方法の一実施の形態についても説明する。
【０１６３】
（Ａ）プリクラ撮影時の動作；ユーザＸは、画像出力部４１６が行っている図１１に示されているような画像出力を見て、プリクラ撮影、およびそのプリクラ撮影によって得られた電子データのホームページサーバ４３０へのアップロードを行うためのボタンＢ４１をポインタＰでクリックする。なお、図１１は、本発明にかかる実施の形態４のプリクラ撮影装置４１０の表示画面の説明図（その１）である。
【０１６４】
ユーザ操作部４１５は、ユーザＸが行った上述の入力に応じて、プリクラ撮影を行うための信号をコントローラ４１２に出力する。
【０１６５】
コントローラ４１２は、ユーザ操作部４１５が出力した信号を入力すると、プリクラ撮影を行うための命令を画像入力部４１４に行う。
【０１６６】
画像入力部４１４は、コントローラ４１２が行った命令に応じて、プリクラ撮影を行い、そのプリクラ撮影によって得られた電子データをコントローラ４１２に出力する。
【０１６７】
コントローラ４１２は、画像入力部４１４が出力した電子データを入力すると、その電子データにＩＤ「Ａ０５１４１３３５２０」を付与し、ＩＤ「Ａ０５１４１３３５２０」が付与された電子データをホームページアドレス「ｈｔｔｐ：／／ｗｗｗ．ｘｙｚ．ｃｏ．ｊｐ／ｐｒｉｎｔｃｌｕｂ」を利用してホームページサーバ４３０にアップロードするための信号を通信インタフェイス部４１３に出力する。
【０１６８】
通信インタフェイス部４１３は、コントローラ４１２が出力した信号を入力すると、ホームページアドレス「ｈｔｔｐ：／／ｗｗｗ．ｘｙｚ．ｃｏ．ｊｐ／ｐｒｉｎｔｃｌｕｂ」を利用し、ＩＤ「Ａ０５１４１３３５２０」が付与された前述の電子データをネットワーク４００を介して通信インタフェイス部４３３に送信する。
【０１６９】
通信インタフェイス部４３３は、通信インタフェイス部４１３が送信した電子データを受信すると、その電子データをコントローラ４３２に出力する。
【０１７０】
コントローラ４３２は、通信インタフェイス部４３３が出力した電子データを入力すると、その電子データをＩＤ「Ａ０５１４１３３５２０」を利用してデータ記憶部４３１に書き込む。
【０１７１】
また、コントローラ４１２は、プリクラ撮影が終了した時点で、前述の電子データをダウンロードする際に必要となるホームページアドレス「ｈｔｔｐ：／／ｗｗｗ．ｘｙｚ．ｃｏ．ｊｐ／ｐｒｉｎｔｃｌｕｂ」およびＩＤ「Ａ０５１４１３３５２０」をユーザＸに表示して通知するための信号を、画像出力部４１６に出力する。
【０１７２】
画像出力部４１６は、コントローラ４１２が出力した信号を入力すると、ホームページアドレス「ｈｔｔｐ：／／ｗｗｗ．ｘｙｚ．ｃｏ．ｊｐ／ｐｒｉｎｔｃｌｕｂ」およびＩＤ「Ａ０５１４１３３５２０」をユーザＸに表示して通知するための図１２に示されているような画像出力を行う。なお、図１２は、本発明にかかる実施の形態４のプリクラ撮影装置４１０の表示画面の説明図（その２）である。
【０１７３】
ユーザＸは、画像出力部４１６が行っている図１２に示されているような画像出力を見て、ホームページアドレス「ｈｔｔｐ：／／ｗｗｗ．ｘｙｚ．ｃｏ．ｊｐ／ｐｒｉｎｔｃｌｕｂ」およびＩＤ「Ａ０５１４１３３５２０」をメモに書き留めた。
【０１７４】
（Ｂ）電子データのダウンロード時の動作；ユーザ操作部４２５は、メモに書き留めておいたホームページアドレス「ｈｔｔｐ：／／ｗｗｗ．ｘｙｚ．ｃｏ．ｊｐ／ｐｒｉｎｔｃｌｕｂ」を利用してそのホームページへのアクセスを行うためにユーザＸが行った入力に応じて、ホームページへのアクセスを行うための信号をコントローラ４２２に出力する。
【０１７５】
コントローラ４２２は、ユーザ操作部４２５が出力した信号を入力すると、そのホームページへのアクセスを行うための信号を通信インタフェイス部４２３に出力する。
【０１７６】
通信インタフェイス部４２３は、コントローラ４２２が出力した信号を入力すると、ホームページへのアクセスを行うための信号を、ホームページアドレス「ｈｔｔｐ：／／ｗｗｗ．ｘｙｚ．ｃｏ．ｊｐ／ｐｒｉｎｔｃｌｕｂ」を利用し、ネットワーク４００を介して通信インタフェイス部４３３に送信する。
【０１７７】
通信インタフェイス部４３３は、通信インタフェイス部４２３が送信した信号を受信すると、パーソナルコンピュータ４２０にそのホームページを表示するための信号をコントローラ４３２に出力する。
【０１７８】
コントローラ４３２は、通信インタフェイス部４３３が出力した信号を入力すると、前述のホームページを表示するためのＨＴＭＬデータをデータ記憶部４３１から読み出し、そのＨＴＭＬデータをパーソナルコンピュータ４２０に転送するための信号を通信インタフェイス部４３３に出力する。
【０１７９】
通信インタフェイス部４３３は、コントローラ４３２が出力した信号を入力すると、データ記憶部４３１から読み出された前述のＨＴＭＬデータをネットワーク４００を介して通信インタフェイス部４２３に送信する。
【０１８０】
通信インタフェイス部４２３は、通信インタフェイス部４３３が送信したＨＴＭＬデータを受信すると、そのＨＴＭＬデータをコントローラ４２２に出力する。
【０１８１】
コントローラ４２２は、通信インタフェイス部４２３が出力したＨＴＭＬデータを入力すると、そのＨＴＭＬデータをユーザＸに表示するための信号を画像音声出力部４２６に出力する。
【０１８２】
画像音声出力部４２６は、コントローラ４２２が出力した信号を入力すると、前述のＨＴＭＬデータをユーザＸに表示するための図１３に示されているような画像出力を行う。なお、図１３は、本発明にかかる実施の形態４のパーソナルコンピュータ４２０の表示画面の説明図（その１）である。
【０１８３】
ユーザＸは、画像出力部４１６が行っている図１３に示されているような画像出力を見て、メモに書き留めておいたＩＤ「Ａ０５１４１３３５２０」とともに、端末装置（符号化形式）「パーソナルコンピュータ（アニメーションＧＩＦ）」、背景パターン「うろこ」の指定を行い、前述の電子データのダウンロードを行うためのボタンＢ４２をポインタＰでクリックする。
【０１８４】
ユーザ操作部４２５は、電子データのダウンロードを行うためにユーザＸが行った入力に応じて、前述の電子データのダウンロードを行うための信号をコントローラ４２２に出力する。
【０１８５】
コントローラ４２２は、ユーザ操作部４２５が出力した信号を入力すると、前述の電子データのダウンロードを行うための信号を通信インタフェイス部４２３に出力する。
【０１８６】
通信インタフェイス部４２３は、コントローラ４２２が出力した信号を入力すると、前述の電子データのダウンロードを行うための信号を、ネットワーク４００を介して通信インタフェイス部４３３に送信する。
【０１８７】
通信インタフェイス部４３３は、通信インタフェイス部４２３が送信した信号を受信すると、前述の電子データのダウンロードを行うための信号をコントローラ４３２に出力する。
【０１８８】
コントローラ４３２は、通信インタフェイス部４３３が出力した信号を入力すると、前述の撮影によって得られた画像の背景に指定された背景パターン「うろこ」を配置し、指定された端末装置「パーソナルコンピュータ」に応じた符号化形式である「アニメーションＧＩＦ」で前述の電子データを符号化し、その符号化された電子データをパーソナルコンピュータ４２０にダウンロードするための信号を通信インタフェイス部４３３に出力する。
【０１８９】
通信インタフェイス部４３３は、コントローラ４３２が出力した信号を入力すると、前述の符号化された電子データをネットワーク４００を介して通信インタフェイス部４１３に送信する。
【０１９０】
通信インタフェイス部４１３は、通信インタフェイス部４３３が送信した電子データを受信すると、その電子データをコントローラ４１２に出力する。
【０１９１】
コントローラ４１２は、通信インタフェイス部４１３が出力した電子データを入力すると、その電子データをデータ記憶部４１１に書き込む。
【０１９２】
（Ｃ）電子データの閲覧時の動作；ユーザ操作部４２５は、電子データの閲覧を行うためにユーザＸが行った入力に応じて、前述のプリクラ撮影の結果を表示するための信号をコントローラ４２２に出力する。
【０１９３】
コントローラ４２２は、ユーザ操作部４２５が出力した信号を入力すると、ホームページサーバ４３０からダウンロードされた前述の電子データをデータ記憶部４２１から読み出し、読み出された電子データをユーザＸに表示するための信号を画像音声出力部４２６に出力する。
【０１９４】
画像音声出力部４２６は、コントローラ４２２が出力した信号を入力すると、プリクラ撮影によって得られた前述の電子データをユーザＸに表示するための図１４に示されているような画像出力を行う。なお、図１４は、本発明にかかる実施の形態４のパーソナルコンピュータ４２０の表示画面の説明図（その２）である。
【０１９５】
（実施の形態５）
はじめに、本発明にかかる実施の形態５のプリクラ携帯電話の構成図である図１５を主として参照しながら、本実施の形態のプリクラ携帯電話の構成について説明する。
【０１９６】
プリクラ携帯電話５１０は、ユーザＸのプリクラ撮影によって得られた電子データに後述のような画像合成データ処理を行い、その画像合成データ処理が行われた電子データをユーザＸに出力するための携帯電話である。
【０１９７】
データ記憶部５１１は、符号化形式としてはＭＰＥＧ４を利用して電子データの画像合成データ処理を行うための画像合成データ処理プログラム、他の携帯電話（図示省略）との無線通話などを行うための無線通信接続プログラム、ＯＳなどの制御プログラムをはじめとするデータを記憶する記憶装置を有する手段である。なお、後に詳述されるように、本実施の形態における画像合成データ処理とは、プリクラ撮影によって得られた電子データの内容である画像の周縁部分に、あらかじめ用意されている画像データの内容である画像「縁飾り」を配置するための画像合成データ処理である。
【０１９８】
コントローラ５１２は、データ記憶部５１１の記憶装置に記憶されている制御プログラムにしたがって各手段の動作を制御するＣＰＵを有する手段である。
【０１９９】
無線通信部５１３は、他の携帯電話（図示省略）との無線通話などを行う際に基地局機器（図示省略）との無線通信接続を行うためのアンテナを有する手段である。
【０２００】
画像音声入力部５１４は、プリクラ撮影に際して画像を入力するＣＣＤカメラやマイクを有する手段である。
【０２０１】
ユーザ操作部５１５は、画像音声出力部５１６から出力される画像に応じユーザＸがＧＵＩを利用して入力を行うための入力キーを有する手段である。
【０２０２】
画像音声出力部５１６は、ユーザＸに対して画像や音声を出力するディスプレイやスピーカを有する手段である。
【０２０３】
なお、画像音声入力部５１４を含む手段は本発明の撮影手段に対応し、コントローラ５１２を含む手段は本発明の画像合成データ処理手段に対応し、画像音声出力部５１６を含む手段は本発明のユーザ出力手段に対応する。また、プリクラ携帯電話５１０は本発明の携帯端末画像合成データ処理装置に対応する。
【０２０４】
つぎに、本実施の形態のプリクラ携帯電話の動作について説明する。なお、本実施の形態のプリクラ携帯電話の動作について説明しながら、本発明の携帯端末画像合成データ処理方法の一実施の形態についても説明する。
【０２０５】
ユーザ操作部５１５は、プリクラ撮影を行うためにユーザＸが行った入力に応じて、プリクラ撮影を行うための信号をコントローラ５１２に出力する。
【０２０６】
コントローラ５１２は、ユーザ操作部５１５が出力した信号を入力すると、プリクラ撮影を行うための命令を画像入力部５１４に行う。
【０２０７】
画像入力部５１４は、コントローラ５１２が行った命令に応じて、プリクラ撮影を行い、そのプリクラ撮影によって得られた電子データをコントローラ５１２に出力する。
【０２０８】
コントローラ５１２は、画像入力部５１４が出力した電子データを入力すると、図１６（Ａ）〜（Ｂ）に示されているように、前述のプリクラ撮影によって得られたその電子データの内容である画像の周縁部分にあらかじめ用意されている前述の画像「縁飾り」を配置して、電子データをＭＰＥＧ４で符号化しデータ記憶部５１１に書き込む。なお、図１６（Ａ）は本発明にかかる実施の形態５の画像合成データ処理前の電子データの説明図であり、図１６（Ｂ）は本発明にかかる実施の形態５の画像合成データ処理後の電子データの説明図である。
【０２０９】
また、コントローラ５１２は、その電子データをユーザＸに表示するための図１７に示されているような画像出力を行う。なお、図１７は、本発明にかかる実施の形態５のプリクラ携帯電話５１０の表示画面の説明図である。
【０２１０】
（実施の形態６）
はじめに、本発明にかかる実施の形態６のプリクラ撮影データ配信システムの構成図である図１８を主として参照しながら、本実施の形態のプリクラ撮影データ配信システムの構成について説明する。
【０２１１】
本実施の形態のプリクラ撮影データ配信システムは、ネットワーク６００、プリクラ携帯電話６１０、プリクラサーバ６３０を備えている。
【０２１２】
ネットワーク６００は、プリクラ携帯電話６１０、プリクラサーバ６３０など同士を接続するための、インターネット、公衆網、ＬＡＮなどを有するネットワークである。
【０２１３】
プリクラ携帯電話６１０は、ユーザＸのプリクラ撮影によって得られた電子データを後述のような画像合成データ処理を行ってもらうためにネットワーク６００を介してプリクラサーバ６３０に送信し、その画像合成データ処理が行われた電子データを再び受信してユーザＸに出力するための携帯電話である。
【０２１４】
データ記憶部６１１は、無線通信接続を利用してネットワーク６００を介しホームページサーバ６３０へ電子データの転送を行うための無線通信接続プログラム、ＯＳなどの制御プログラムをはじめとするデータを記憶する記憶装置を有する手段である。
【０２１５】
コントローラ６１２は、データ記憶部６１１の記憶装置に記憶されている制御プログラムにしたがって各手段の動作を制御するＣＰＵを有する手段である。
【０２１６】
無線通信部６１３は、ネットワーク６００への通信接続などを行う際に基地局機器（図示省略）との無線通信接続を行うためのアンテナを有する手段である。
【０２１７】
画像音声入力部６１４は、プリクラ撮影に際して画像を入力するＣＣＤカメラやマイクを有する手段である。
【０２１８】
ユーザ操作部６１５は、画像出力部６２６から出力される画像に応じユーザＸがＧＵＩを利用して入力を行うための入力キーを有する手段である。
【０２１９】
画像音声出力部６１６は、ユーザＸに対して画像や音声を出力するディスプレイやスピーカを有する手段である。
【０２２０】
プリクラサーバ６３０は、プリクラ携帯電話６１０から送信されてくる電子データに対して画像合成データ処理を行うためのサーバである。
【０２２１】
データ記憶部６３１は、符号化形式としてはＭＰＥＧ４を利用して電子データの画像合成データ処理を行うための画像合成データ処理プログラム、そのような画像合成データ処理によって生成された電子ファイルの送信などを行うための通信接続プログラム、ＯＳなどの制御プログラムをはじめとするデータを記憶する記憶装置を有する手段である。なお、後に詳述されるように、本実施の形態における画像合成データ処理とは、（１）プリクラ撮影によって得られた電子データの内容である画像の内の近距離部分以外の不要部分を削除し、（２）その削除された不要部分にあらかじめ用意されている画像データの内容である画像「ハート形」を配置するための画像合成データ処理である。
【０２２２】
コントローラ６３２は、データ記憶部６３１の記憶装置に記憶されている制御プログラムにしたがって各手段の動作を制御するＣＰＵを有する手段である。
【０２２３】
通信インタフェイス部６３３は、ネットワーク６００への通信接続を行うためのＭＯＤＥＭを有する手段である。
【０２２４】
なお、画像音声入力部６１４を含む手段は本発明の撮影手段に対応し、無線通信部６１３を含む手段は本発明の送信手段、受信手段を含む手段に対応し、画像音声出力部６１６を含む手段は本発明のユーザ出力手段に対応し、コントローラ６１２を含む手段は本発明の画像合成データ処理手段に対応する。また、プリクラ携帯電話６１０は本発明の携帯端末装置に対応し、プリクラサーバ６３０は本発明の画像合成データ処理サーバに対応し、本実施の形態のプリクラ撮影データ配信システムは本発明のデータ配信システムに対応する。
【０２２５】
つぎに、本実施の形態のプリクラ撮影データ配信システムの動作について説明する。なお、本実施の形態のプリクラ撮影データ配信システムの動作について説明しながら、本発明のデータ配信方法の一実施の形態についても説明する。
【０２２６】
ユーザ操作部６１５は、プリクラ撮影を行うためにユーザＸが行った入力に応じて、プリクラ撮影を行うための信号をコントローラ６１２に出力する。
【０２２７】
コントローラ６１２は、ユーザ操作部６１５が出力した信号を入力すると、プリクラ撮影を行うための命令を画像入力部６１４に行う。
【０２２８】
画像入力部６１４は、コントローラ６１２が行った命令に応じて、プリクラ撮影を行い、そのプリクラ撮影によって得られた電子データをコントローラ６１２に出力する。
【０２２９】
コントローラ６１２は、画像入力部６１４が出力した電子データを入力すると、その電子データをプリクラサーバ６３０に送信するための信号を無線通信部６１３に出力する。
【０２３０】
通信インタフェイス部６１３は、コントローラ６１２が出力した信号を入力すると、前述の電子データをネットワーク６００を介して通信インタフェイス部６３３に送信する。
【０２３１】
通信インタフェイス部６３３は、通信インタフェイス部６１３が送信した電子データを受信すると、その電子データをコントローラ６３２に出力する。
【０２３２】
コントローラ６３２は、通信インタフェイス部６３３が出力した電子データを入力すると、図１９（Ａ）〜（Ｂ）に示されているように、（１）その電子データの内容である画像の内のユーザＸが写っている近距離部分以外の自動車などが写っている不要部分を削除し、（２）その削除された不要部分にあらかじめ用意されている前述の画像「ハート形」を配置して、電子データをＭＰＥＧ４で符号化し、その符号化された電子データをプリクラ携帯電話６１０に転送するための信号を通信インタフェイス部６３３に出力する。なお、図１９（Ａ）は本発明にかかる実施の形態６の画像合成データ処理前の電子データの説明図であり、図１９（Ｂ）は本発明にかかる実施の形態６の画像合成データ処理後の電子データの説明図である。
【０２３３】
通信インタフェイス部６３３は、コントローラ６３２が出力した信号を入力すると、前述の電子データをネットワーク６００を介して通信インタフェイス部６１３に送信する。
【０２３４】
通信インタフェイス部６１３は、通信インタフェイス部６３３が送信した電子データを受信すると、その電子データをコントローラ６１２に出力する。
【０２３５】
コントローラ６１２は、通信インタフェイス部６１３が出力した電子データを入力すると、その電子データをデータ記憶部６１１に書き込む。
【０２３６】
また、コントローラ６１２は、その電子データをユーザＸに表示するための図２０に示されているような画像出力を行う。なお、図２０は、本発明にかかる実施の形態６のプリクラ携帯電話６１０の表示画面の説明図である。
【０２３７】
以上においては、本実施の形態１〜６について詳細に説明した。
【０２３８】
なお、本発明の端末装置に対するデータ送信は、上述した本実施の形態３においては、Ｂｌｕｅｔｏｏｔｈによる無線電波通信を利用して行われた。しかし、これに限らず、本発明の端末装置に対するデータ送信は、たとえば、（１）ＩＥＥＥ（Ｔｈｅ　Ｉｎｓｔｉｔｕｔｅ　ｏｆ　　Ｅｌｅｃｔｒｉｃａｌ　ａｎｄ　Ｅｌｅｃｔｒｏｎｉｃｓ　Ｅｎｇｉｎｅｅｒｓ）８０２．１１による無線電波通信を利用して行われてもよいし、（２）ＩｒＤＡ（Ｉｎｆｒａｒｅｄ　ＤａｔａＡｓｓｏｃｉａｔｉｏｎ）による無線赤外線通信を利用して行われてもよいし、（３）ＵＳＢ（ｕｎｉｖｅｒｓａｌ　ｓｅｒｉａｌ　ｂｕｓ）ケーブルによる有線通信を利用して行われてもよい。
【０２３９】
また、本発明の電子データをデータダウンロードするためのホームページアドレスは、上述した本実施の形態４においては、プリクラ撮影終了時点でユーザに表示して通知された（そして、ユーザは、この表示されたホームページアドレスをメモに書き留めておく必要があった）。しかし、これに限らず、本発明の電子データをデータダウンロードするためのホームページアドレスは、たとえば、（１）プリクラ撮影時にユーザが指定した住所宛で後日ユーザの自宅などに郵送されてくる郵便物を利用して通知されてもよいし、（２）プリクラ撮影時にユーザが指定した電子メイルアドレス宛で携帯電話やＰＤＡなどユーザの端末装置に送信されてくる電子メイルを利用して通知されてもよいし（もちろん、このようなユーザの端末装置などに応じてホームページアドレスが異なっていてもよい）、（３）プリクラ撮影時にＢｌｕｅｔｏｏｔｈなどによる短距離無線通信で携帯電話やＰＤＡなどユーザの端末装置に直接的に通知されてもよい。
【０２４０】
また、本発明の電子データをデータダウンロードするためのＩＤは、上述した本実施の形態４においては、プリクラ撮影終了時点でユーザに表示して通知された。しかし、これに限らず、本発明の電子データをデータダウンロードするためのＩＤは、たとえば、（１）プリクラ撮影時にユーザが指定した住所宛で後日ユーザの自宅などに郵送されてくる郵便物を利用して通知されてもよいし、（２）プリクラ撮影時にユーザが指定した電子メイルアドレス宛で携帯電話やＰＤＡなどユーザの端末装置に送信されてくる電子メイルを利用して通知されてもよいし、（３）プリクラ撮影時にＢｌｕｅｔｏｏｔｈなどによる短距離無線通信で携帯電話やＰＤＡなどユーザの端末装置に直接的に通知されてもよい。
【０２４１】
また、本発明の電子データの符号化は、上述した本実施の形態４においては、データダウンロードに際し符号化形式が指定された後に、その指定された符号化形式を利用して行われた。しかし、これに限らず、本発明の電子データの符号化は、たとえば、データダウンロードに先立ってあらかじめ行われていてもよい（符号化形式が複数種類ある場合には、所望の符号化形式を利用して符号化された電子データが選択されてデータダウンロードされるわけである）。
【０２４２】
また、本発明の電子データの符号化形式などが決定される際に考慮される端末装置の種類は、上述した本実施の形態４においては、ユーザによるＧＵＩ入力を利用して指定された。しかし、これに限らず、本発明の電子データの符号化形式などが決定される際に考慮される端末装置の種類は、たとえば、データダウンロードを行うためにアクセスしてきた端末装置の種類のサーバによる自動判別を利用して指定されてもよい。
【０２４３】
また、本発明の電子データは、上述した本実施の形態１、４においては、端末装置の種類がパーソナルコンピュータであるか携帯電話であるかを考慮して符号化形式が決定された。しかし、これに限らず、本発明の電子データは、たとえば、（１）端末装置の種類がパーソナルコンピュータであるか携帯電話であるかなどを考慮して圧縮率が決定されてもよいし、（２）端末装置の種類がｉモードであるかｅｚＷｅｂであるかなどを考慮して対価が決定されてもよい（もちろん、このような符号化形式や圧縮率の異なる電子データは、電子データの要求が行われる前にあらかじめ生成されていてもよいし、電子データの要求が行われた後に生成されてもよい）。
【０２４４】
また、本発明の電子データは、上述した本実施の形態においては、画像データであった。しかし、これに限らず、本発明の電子データは、たとえば、（１）撮影と同時に行われる録音を利用した、撮影時間がユーザ指定可能な音声付き動画データであってもよいし、（２）インターネット経由で蓄積データが容易に更新できるデータベース上の音声データや背景データを別料金によるアフレコ（ａｆｔｅｒ　ｒｅｃｏｒｄｉｎｇ）に利用した音声付き静止画データであってもよい。
【０２４５】
なお、（１）電子データが動画データである場合には、ＭＰＥＧ４や米マクロメディア社のソフトウェア製品であるＦｌａｓｈに対応したフォーマットなどの符号化形式が典型的であり、（２）電子データが静止画データである場合には、ＪＰＥＧ（Ｊｏｉｎｔ　Ｐｈｏｔｏｇｒａｐｈｉｃ　Ｅｘｐｅｒｔｓ　Ｇｒｏｕｐ）などの符号化形式が典型的である。
【０２４６】
また、本発明の電子データは、上述した本実施の形態においては、端末装置に保存された。しかし、これに限らず、本発明の電子データは、たとえば、端末装置に表示されるのみで保存されなくてもよい（もちろん、端末装置に保存されるか否かに応じて電子データの対価が異なっていてもよい）。
【０２４７】
なお、発明には、上述した本発明の撮影装置、携帯端末画像合成データ処理装置、データ配信システム、携帯端末装置、および画像合成データ処理サーバの全部または一部の手段（または、装置、素子、回路、部など）の機能をコンピュータにより実行させるためのプログラムであって、コンピュータと協働して動作するプログラムが含まれる。もちろん、コンピュータは、ＣＰＵなどの純然たるハードウェアに限らず、ファームウェアやＯＳ、さらに周辺機器を含むものであっても良い。
【０２４８】
また、本発明には、上述した本発明の撮影方法、携帯端末画像合成データ処理方法、およびデータ配信方法の全部または一部のステップ（または、工程、動作、作用など）の動作をコンピュータにより実行させるためのプログラムであって、コンピュータと協働して動作するプログラムが含まれる。
【０２４９】
なお、本発明の一部の手段（または、装置、素子、回路、部など）、本発明の一部のステップ（または、工程、動作、作用など）は、それらの複数の手段またはステップの内の幾つかの手段またはステップを意味する、あるいは一つの手段またはステップの内の一部の機能または一部の動作を意味するものである。
【０２５０】
また、本発明の一部の装置（または、素子、回路、部など）は、それら複数の装置の内の幾つかの装置を意味する、あるいは一つの装置の内の一部の手段（または、素子、回路、部など）を意味する、あるいは一つの手段の内の一部の機能を意味するものである。
【０２５１】
また、発明のプログラムを記録した、コンピュータに読みとり可能な記録媒体も発明に含まれる。また、発明のプログラムの一利用形態は、コンピュータにより読み取り可能な記録媒体に記録され、コンピュータと協働して動作する態様であっても良い。また、発明のプログラムの一利用形態は、伝送媒体中を伝送し、コンピュータにより読みとられ、コンピュータと協働して動作する態様であっても良い。また、記録媒体としては、ＲＯＭ等が含まれ、伝送媒体としては、インターネット等の伝送媒体、光・電波・音波等が含まれる。
【０２５２】
なお、発明の構成は、ソフトウェア的に実現しても良いし、ハードウェア的に実現しても良い。
【０２５３】
また、発明には、上述した本発明の撮影装置、携帯端末画像合成データ処理装置、データ配信システム、携帯端末装置、および画像合成データ処理サーバの全部または一部の手段の全部または一部の機能をコンピュータにより実行させるためのプログラムを担持した媒体であり、コンピュータにより読み取り可能かつ読み取られた前記プログラムが前記コンピュータと協動して前記機能を実行する媒体が含まれる。
【０２５４】
また、本発明には、上述した本発明の撮影方法、携帯端末画像合成データ処理方法、およびデータ配信方法の全部または一部のステップの全部または一部の動作をコンピュータにより実行させるためのプログラムを担持した媒体であり、コンピュータにより読み取り可能かつ読み取られた前記プログラムが前記コンピュータと協動して前記動作を実行する媒体が含まれる。
【０２５５】
【発明の効果】
以上述べたところから明らかなように、本発明は、プリクラ写真のような顔写真などの撮影結果をより楽しむことができるという長所を有する。
【図面の簡単な説明】
【図１】本発明にかかる実施の形態１のプリクラ撮影データ配信システムの構成図である。
【図２】本発明にかかる実施の形態１のプリクラ撮影装置１１０の表示画面の説明図（その１）である。
【図３】本発明にかかる実施の形態１のプリクラ撮影装置１１０の表示画面の説明図（その２）である。
【図４】本発明にかかる実施の形態１のパーソナルコンピュータ１２０の表示画面の説明図（その１）である。
【図５】本発明にかかる実施の形態１のパーソナルコンピュータ１２０の表示画面の説明図（その２）である。
【図６】本発明にかかる実施の形態２のプリクラ撮影データ配信システムの構成図である。
【図７】本発明にかかる実施の形態２のプリクラ撮影装置２１０の表示画面の説明図である。
【図８】本発明にかかる実施の形態３のプリクラ撮影データ配信システムの構成図である。
【図９】本発明にかかる実施の形態３のプリクラ撮影装置３１０の表示画面の説明図である。
【図１０】本発明にかかる実施の形態４のプリクラ撮影データ配信システムの構成図である。
【図１１】本発明にかかる実施の形態４のプリクラ撮影装置４１０の表示画面の説明図（その１）である。
【図１２】本発明にかかる実施の形態４のプリクラ撮影装置４１０の表示画面の説明図（その２）である。
【図１３】本発明にかかる実施の形態４のパーソナルコンピュータ４２０の表示画面の説明図（その１）である。
【図１４】本発明にかかる実施の形態４のパーソナルコンピュータ４２０の表示画面の説明図（その２）である。
【図１５】本発明にかかる実施の形態５のプリクラ携帯電話の構成図である。
【図１６】（Ａ）本発明にかかる実施の形態５の画像合成データ処理前の電子データの説明図である。
（Ｂ）本発明にかかる実施の形態５の画像合成データ処理後の電子データの説明図である。
【図１７】本発明にかかる実施の形態５のプリクラ携帯電話５１０の表示画面の説明図である。
【図１８】本発明にかかる実施の形態６のプリクラ撮影データ配信システムの構成図である。
【図１９】（Ａ）本発明にかかる実施の形態６の画像合成データ処理前の電子データの説明図である。
（Ｂ）本発明にかかる実施の形態６の画像合成データ処理後の電子データの説明図である。
【図２０】本発明にかかる実施の形態６のプリクラ携帯電話６１０の表示画面の説明図である。
【符号の説明】
１００　ネットワーク
１１０　プリクラ撮影装置
１１１　データ記憶部
１１２　コントローラ
１１３　通信インタフェイス部
１１４　画像入力部
１１５　ユーザ操作部
１２０　パーソナルコンピュータ
１２１　データ記憶部
１２２　コントローラ
１２３　通信インタフェイス部
１２５　ユーザ操作部
１２６　画像音声出力部
１３０　電子メイルサーバ
１３１　データ記憶部
１３２　コントローラ
１３３　通信インタフェイス部
【図１】
2004015428.tif 000003
【図２】
2004015428.tif 000004
【図３】
2004015428.tif 000005
【図４】
2004015428.tif 000006
【図５】
2004015428.tif 000007
【図６】
2004015428.tif 000008
【図７】
2004015428.tif 000009
【図８】
2004015428.tif 000010
【図９】
2004015428.tif 000011
【図１０】
2004015428.tif 000012
【図１１】
2004015428.tif 000013
【図１２】
2004015428.tif 000014
【図１３】
2004015428.tif 000015
【図１４】
2004015428.tif 000016
【図１５】
2004015428.tif 000017
【図１６】
2004015428.tif 000018
【図１７】
2004015428.tif 000019
【図１８】
2004015428.tif 000020
【図１９】
2004015428.tif 000021
【図２０】
2004015428.tif 000022